(57)【要約】  【課題】  本発明では、乳母車の存在を容易に確認して事故も予防することができ、しかも、手軽に扱うことができ、長期間に渡って使用することができる乳母車用カバーの提供を目的とする。  【解決手段】  乳母車Ａの略全体が覆われる大きさを有した乳母車用カバー１１，３１，３３，３５，４１であって、上記乳母車Ａの存在を確認容易とする発光手段２２，３２，３４，３６を備えた乳母車用カバー１１，３１，３３，３５，４１。  【選択図】    図１
2006001526.tif 000002
【特許請求の範囲】
【請求項１】
乳母車の略全体が覆われる大きさを有した乳母車用カバーであって、
上記乳母車の存在を確認容易とする発光手段を備えた
乳母車用カバー。
【請求項２】
前記発光手段を、自発的に発光する蓄光発光手段で形成した
請求項１に記載の乳母車用カバー。
【請求項３】
前記発光手段を、外側からの入射光を反射する反射発光手段で形成した
請求項１に記載の乳母車用カバー。
【請求項４】
前記発光手段を、帯状の発光帯体で構成し、
該発光帯体を、カバー面を構成するカバーシートどうしの接合端部沿いに、該接合端部と一体に縫着した
請求項１、請求項２、又は請求項３に記載の乳母車用カバー。
【請求項５】
前記発光手段を、シート状の発光シートで構成し、
該発光シートを、カバー面を構成するカバーシートに、その裏面から固着した
請求項１、請求項２、又は請求項３に記載の乳母車用カバー。
【請求項６】
前記発光手段を、シート状の発光シートで構成し、
該発光シートを、カバー面を構成するカバーシートに、その表面から着脱可能に取り付けた
請求項１、請求項２、又は請求項３に記載の乳母車用カバー。
【請求項７】
カバー面を構成するカバーシートをメッシュ地で形成した
請求項１から請求項６のいずれか一項に記載の乳母車用カバー。
【発明の詳細な説明】
【技術分野】
【０００１】
この発明は、雨、風、虫、粉塵、排気ガスなどの外的要因から乳幼児を保護するために、乳母車に被覆して用いられる乳母車用カバーに関する。
【背景技術】
【０００２】
乳母車に乗車している乳幼児を雨、風、雪などの外的要因から保護するために、乳母車用カバーが用いられる。上記乳母車用カバーを乳母車に被覆することで、雨などから乳幼児を保護することができるため、有効である。
【０００３】
一方、このような悪天候のときは、通常、太陽光が雲に遮られるため、晴天時に比べて当然、周囲が暗くなる。特に、雨などが降った場合は、単に周囲が暗くなるという他にも、雨自体に視界が遮られるため、さらに視界が悪化する。  
その他、例えば、降雨時や、強風時において、歩行している人や、自転車に乗っている人が傘をさしている場合は、通常、傘を前屈みにした状態で進行するため、前方を断続的にしか確認できないなど、悪天候時には、様々な要因で視界が悪化し、そのことが現実に事故の要因にもなっている。特に、夜に雨が降ったときには、さらに視界不良になるため、危険である。
【０００４】
このため、悪天候の時において通行人は、自らの存在は勿論、望ましくは自分の全体の外郭や大きさなどを、他の通行人や、車に乗車している人など周囲の人々に対して、瞬時に認識できるような容姿で通行することが好ましい。  
その他、出来るだけ遠方の通行人からでも自らの存在を容易に認識されるような容姿で通行することも重要となる。
【０００５】
例えば、保護者が乳母車を押しながら歩行する場合、保護者自身が視認性の高い容姿で歩行することは、事故を回避する上で有効である。しかし、乳母車と保護者とは、密着した状態で歩行しているわけではなく、互いに前後で並んで進行している状態であるため、保護者だけ視認性をよくしても乳母車の安全性は、確保できない。
【０００６】
さらに、乳母車は、その高さが低いため、唯でさえ目立ちにくいにも関わらず、保護者のみ視認性を向上させて、該保護者の方にのみ目がとられれば、乳母車の側には、注意が向けられないため、逆に、乳母車は危険にさらされることにもなりかねない。
【０００７】
このような背景から乳母車自体の視認性を向上するための先行技術が提案されている。
【０００８】
例えば、下記特許文献１で開示された先行技術は、外部電源なしの安全モード太陽ランプ（以下、太陽ランプという）についての発明であり、該太陽ランプは、太陽エネルギーを蓄電池に充電することにより、暗くても発光素子が発光可能に構成している。  
上記太陽ランプを乳母車などに取り付けて視覚的注目度を高めることにより、安全性を確保できる旨の開示がなされている。
【０００９】
しかし、上記太陽ランプを乳母車に取り付ける場合、乳母車の座席には、乳児が乗車するため、特に、座席側においては、取り付ける場所が制限されるという問題を有する。
【００１０】
一方、前述したとおり、特に、悪天候時においては、雨や風などから乳幼児を保護するために、乳母車用カバーがよく用いられる。
【００１１】
このため、たとえ上記太陽ランプを乳母車に装着しても、さらに、乳母車に該乳母車用カバーを被覆した場合、カバー自体の皺や撓み、さらには、該カバー自体に付着した水滴などにより、乳母車に取り付けた上記太陽ランプにおける上記発光素子の光を乳母車用カバーの外側からでは確認しにくくなり、太陽ランプを取り付ける効果が著しく低下してしまうという問題点も有する。
【００１２】
また、上述した悪天候時以外においても、夏季においては、祭りや、花火大会といったイベントが多数、催されるため、乳母車に乳児を乗車させて夜間に出歩く機会が多くなる。
【００１３】
この場合においても、やはり、夜間で視野が制限されるため、周囲に対して、乳母車の存在を認知させる必要があるとともに、蚊などの外的要因から乳児を保護する必要があるという課題を有する。
【００１４】
【特許文献１】特表２００２−５０１６５８号公報
【発明の開示】
【発明が解決しようとする課題】
【００１５】
そこで本発明では、乳母車の存在を容易に確認して事故も予防することができ、しかも、手軽に扱うことができ、長期間に渡って使用することができる乳母車用カバーの提供を目的とする。
【課題を解決するための手段】
【００１６】
本発明の乳母車は、乳母車の略全体が覆われる大きさを有した乳母車用カバーであって、上記乳母車の存在を確認容易とする発光手段を備えたことを特徴とする。
【００１７】
上記発光手段は、例えば、上記発光手段を自発的に発光する蓄光発光手段で形成することができる。
【００１８】
上記蓄光発光手段は、日光や照明光など、外部から入射する光のエネルギーを蓄積するとともに、その蓄積したエネルギーを光として少しずつ外部に放射する蓄光性物質である。さらに、蓄光性物質が配合された顔料を樹脂に塗付したもの、樹脂中に封入とたもの、或いは、樹脂と混練したものも含む。
【００１９】
さらに、上記発光手段は、上記発光手段を外側からの入射光を反射する反射発光手段で形成することもできる。
【００２０】
上記反射発光手段は、干渉縞の凹凸模様が形成されて成る、例えば、ホログラムシートなどであり、その凹凸表面に光が照射されると反射回折が互いに干渉して結合し、例えば、虹模様などに発光することができるものである。
【００２１】
また、上記乳母車用カバーは、上記発光手段を帯状の発光帯体で構成し、該発光帯体を、カバー面を構成するカバーシートどうしの接合端部沿いに、該接合端部と一体に縫着すると好ましい。
【００２２】
上記帯状の発光帯体は、パイピングやステッチなどとして縫い合わせ部分の処理や縁取りの際に用いることができる。
【００２３】
また、上記乳母車用カバーは、上記発光手段を、シート状の発光シートで構成し、該発光シートを、カバー面を構成するカバーシートに、その裏面から固着することもできる。
【００２４】
上記発光手段をカバーシートの表面、或いは裏面のいずれの側から固着してもよいが、上述したように、カバーシートの裏面から固着することで、上記発光手段は、カバーシートに接触した状態となり、雨などの外的要因に直接、晒されることがないため、汚れることがない。さらに、外側から見たときにカバーシート表面に凹凸が生じず、見栄えを確保できる。
【００２５】
若しくは、上記乳母車用カバーは、上記発光手段を、シート状の発光シートで構成し、該発光シートを、カバー面を構成するカバーシートに、その表面から着脱可能に取り付けることもできる。
【００２６】
上記発光手段を上記カバーシートの表面、或いは裏面のいずれの側から取り付けてもよいが、上述したように、表面から着脱可能に取り付けた形態を採れば、保護者が発光シートを容易に着脱することができる。このため、周囲の明暗に応じて、通行している場所の交通量に応じて任意に発光シートを着脱することができる。
【００２７】
また、上記発光シートを取り付ける取付け手段は、スナップ、ホック、面ファスナ、スライドファスナなどを用いて着脱可能に取り付けることができる。
【００２８】
また、本発明に係る乳母車用カバーは、カバー面を構成するカバーシートをメッシュ地で形成することもできる。
【００２９】
上記カバーシートは、全体をメッシュ地で形成したものに限定せず、例えば、メッシュ地のシートと撥水性の有するシートとを組み合わせて形成したものなど、少なくとも一部位のみをメッシュ地で形成したものも含む。
【００３０】
メッシュ地で形成したカバーシートの網目形状は格子状に形成する、或いは、一つひとつの網目がハニカム形状（六角形状）、三角形状に形成するなど一つの形状に限定しない。
【００３１】
本願発明に係る乳母車用カバーによって遮断すべき対象となる外的要因は、例えば、雨、風、雪、粉塵、排気ガス、蚊などの昆虫、砂、土、太陽光（紫外線）などを示す。
【発明の効果】
【００３２】
請求項１に係る発明によれば、乳母車用カバーに発光手段備えることで、乳母車用カバー自体の視認性を高めることができる。これにより、乳母車は、視界不良であってもその存在を容易に確認することができる。
【００３３】
請求項２、又は請求項３に係る発明によれば、発光手段により電源や充電器具などを用いることなく乳母車用カバーが発光するため、故障や漏電の心配がなく、安全である。しかも、軽量であるため、保護者が乳母車を押す際の支障にならない。
【００３４】
特に、請求項２に係る発明によれば、蓄光発光手段は、自発的に発光するため、周囲が暗闇であっても、乳母車の存在を容易に確認することができる。
【００３５】
また、請求項４に係る発明によれば、反射発光手段の有するカバーシートどうしの接合縁部は、立体形状とした乳母車用カバーの角部に有することが多いため、乳母車用カバーの外郭が発光することになる。よって、乳母車の存在だけでなく、全体の大きさや外郭までも瞬時に確認することができる。
【００３６】
しかも、パイピング部材やステッチなどとして使用していた帯状の部材の代わりに上記発光帯体を該接合端部と一体に縫着することで構成できる。  
このため、乳母車の確認が容易にするために、別途、カバーシート上に発光帯体を縫着する手間を要しない。
【００３７】
さらに、カバーシート上に縫い目を設けることもないため、該縫い目から水などが入り込む事態も生じない。
【００３８】
請求項５、又は、請求項６に係る発明によれば、所望の大きさ、形態の発光シートをカバーシート上に取り付けることができるため、より容易に確認できるよう乳母車用カバーを構成することもできる。
【００３９】
特に、請求項５に係る発明によれば、発光シートをカバーシートの裏面から固着するため、発光シートが直接、雨風に晒されることがないため、汚れることもない。
【００４０】
また、請求項６に係る発明によれば、発光シートを取り外して清潔にすることや、不要時には、取り外して乳幼児の視界を良好にすることもできる。
【００４１】
請求項７に係る発明によれば、夜間に乳母車を使用する場合、発光手段により、乳児の安全性を確保することができるとともに、カバーシートをメッシュ地で形成しているため、乳母車用カバー内側に蚊などの虫が入り込むことを阻止することができる。
【００４２】
しかも、乳母車用カバーの内側と外側との通気性を確保することができるため、蒸し暑い日であっても、乳母車用カバーの内側に存在する乳児の快適性を確保することができる。
【発明を実施するための最良の形態】
【００４３】
この発明の一実施形態を、以下図面を用いて説明する。  
図１は、一人乗り用の乳母車Ａ（ベビーカー）に乳児Ｂが乗車した状態を示し、さらに、該乳母車Ａの略全体に本実施形態に係る乳母車用カバー１１を被覆して、乳児Ｂが外的要因から保護されている様子を示す。
【００４４】
上記乳母車用カバー１１は、その略全体がカバー面を構成するとともに、透光性及び柔軟性を有する透明色の合成樹脂製のカバーシート１２で構成される。  
図２に示したように、上記カバーシート１２は、中央部カバーシート１３と側面部カバーシート１７とからなる。
【００４５】
上述の中央部カバーシート１３は、乳母車Ａの前部、上部、後部（背部）が覆われる長さ、及び、横幅で形成し、それぞれに対応する部位は、前面カバー部１４、上面カバー部１５、背面カバー部１６からなる。
【００４６】
さらに、上記中央部カバーシート１３の外周縁部沿いにかけては、パイピング部２１を構成している。上記パイピング部２１は、布製の帯状の部材に蓄光顔料を塗付した蓄光発光帯体２２からなり、該蓄光発光帯体２２を外周縁部沿いにかけて縫着により縁取りして構成している。
【００４７】
一方、上記側面部カバーシート１７は、乳母車Ａの右側部が覆われる右側面部カバーシート１８と、左側部が覆われる左側面部カバーシート１９との２枚の部材である。上記左側面部カバーシート１９、及び、右側面部カバーシート１８には、それぞれ乳母車用カバー１１の左右各側面から見て略丸形状に形成したメッシュ状の窓部２３を構成している。上記窓部２３は、上記左側面部カバーシート１９、及び、右側面部カバーシート１８の上部前方側に設けて、乳母車用カバー１１の内部と外部とを通気すると共に、内部及び外部に向けて音声が伝わりやすくしている。  
なお、降雨時においては、上記窓部２３に対応する部位に丸形のシートを取り付けて、該窓部２３を閉塞することができる（図示せず）。
【００４８】
さらに、上記左側面部カバーシート１９、及び、右側面部カバーシート１８は、その外周縁部沿いにも、上記中央部カバーシート１３と同様にそれぞれパイピング部２１を構成している。
【００４９】
上記乳母車用カバー１１は、上記構成を採る中央部カバーシート１３と側面部カバーシート１７とは互いに連接されている。  
具体的には、中央部カバーシート１３における上面カバー部１５の左右両側縁部と、側面部カバーシート１７の上端縁部とを接合し、該接合部に有するパイピング部２１を縫着することにより一体とする。これにより、中央部カバーシート１３と側面部カバーシート１７とが互いに接合する縁部には、蓄光発光帯体２２が縫着される。
【００５０】
且つ、背面カバー部１６は、フラップ状に構成し、図３に示したように乳母車Ａにおける座席部Ａａ及び背凭れ部Ａｂの後面側が覆われる大きさ及び形状に形成される。
【００５１】
そして、上記側面カバー部１７の後側において、フラップ状に突き出した後側フラップ１７ａは、背凭れ部Ａｂ後面と対向する状態に垂下された背面カバー部１６が包み込まれる大きさ及び形状に形成している。
【００５２】
さらに、上記側面部カバー１７の後側フラップ１７ａの先端部には、紐部材２５の一端を縫着し、上述の背面カバー部１６を左右両側の後側フラップ１７ａで包み込んだときに結び止めることができる。
【００５３】
続いて、乳母車用カバー１１における前面側に着目すると、前面カバー部１４は、上面カバー部１５の前縁部からフラップ状に構成し、座席部Ａａ及びステップ部Ａｃの前面側が覆われる大きさ及び形状に形成している（図１、図２参照）。その接合端部は、上述と同様にパイピング部２１を構成し、蓄光発光帯体２２を上記縫着することにより一体に構成している。
【００５４】
なお、上記前面カバー部１４は、乳母車Ａのステップ部Ａｃ下面に対して係止される方向に折り返して、走行時に於いて、例えば水や泥等が跳ね上がるのを防止することもできる（図１参照）。
【００５５】
また、上記中央部カバーシート１３の前面カバー部１４の左右両縁部におけるパイピング部２１には、一方のスライドファスナ２６ａが縫着され、上記側面部カバーシート１７の前側縁部おけるパイピング部２１には、上記一方のスライドファスナ２６ａに係合される他方のスライドファスナ２６ｂがそれぞれ縫着されている（図２参照）。
【００５６】
これにより、このスライドファスナ２６の開操作はスライダ２６ｃを端部側からスライドさせて、乳母車用カバー１１の前面カバー部１４をフラップ状に開口して、保護者は、乳児Ｂの乗降動作や乳児Ｂの世話等をすることができる。
【００５７】
以上のようにして乳母車用カバー１１は、乳母車Ａの略全体（底部以外の前面、上面、背面、左右両側面）が覆われる立体形状に構成している。
【００５８】
以下では、夕方であって、しかも、降雨時に、上記図１に示した状態の乳母車Ａを保護者が後方から押しながら歩行している状況を想定し、上記乳母車用カバー１１の作用、効果について説明する。
【００５９】
上述したように、上記乳母車用カバー１１における上記パイピング部２１を蓄光発光帯体２２で構成し、しかも、上記パイピング部２１は、乳母車Ａに被覆した乳母車用カバー１１の略外郭部に沿って有している。
【００６０】
このため、上記パイピング部２１が自発的に発光すれば、周辺に街灯などがなくても、自動車のドライバーも含めて、乳母車Ａの周辺に通行している通行人は、乳母車Ａの存在だけでなく乳母車Ａ全体の外郭、大きさなどを正確、且つ容易に確認することができる。  
よって、通行人は、安心して通行することができるとともに、保護者を始め、乳児Ｂが危険に晒されることもない。
【００６１】
さらに、乳母車用カバー１１は、当然、乳母車Ａの外側に位置するため、蓄光発光帯体２２により発光した光が乳母車Ａ自体や乳児Ｂによって妨げられることがない。このため、発光した光は、周辺の通行人に対して直接、視認させることができる。よって、その存在を周辺の人に確実に示すことができる。
【００６２】
また、乳母車用カバー１１の背面カバー部１６においても、側面部カバーシート１７の後側フラップ１７ａのパイピング部２１が発光する（図３参照）。このため、例えば、乳母車Ａの前側において、保護者が前面カバー部１４を開口して乳児Ｂの世話をしているときに、通行人が乳母車Ａの背面側から乳母車Ａを見た場合であっても、乳母車Ａの存在を確認することができる。  
このように、通行人は、あらゆる方角からでも乳母車用カバー１１を容易に確認することができる。
【００６３】
よって、乳母車用カバー１１は、雨から乳児Ｂを保護することは勿論、雨が降って視界不良となっても、その存在や外郭を正確に通行人に示すことにより、通行人は、大きさや外郭までも容易に確認することができる。
【００６４】
なお、上記紐部材２５や上記窓部２３の外周縁部の窓枠に相当するパイピング部も上記自発的に発光する部材で構成してもよい。
【００６５】
また、上記構成を採る乳母車用カバー１１は、蓄光発光帯体２２をパイピング部２１で縫着することにより構成したため、カバーシート１２の面上においては、縫い目が存在しない。このため、縫い目から水などが進入することもなく、乳母車用カバー１１の防水性を確保することができる。
【００６６】
さらに、パイピング部にパイピング部材として蓄光発光帯体２２を縫着して発光させるため、別途、乳母車用カバー１１を発光させるために、カバーシート１２上に蓄光発光帯体２２を縫着する手間も省ける。
【００６７】
加えて、上記蓄光発光帯体２２をカバーシート１２の面上に取り付けないため、乳児Ｂは、景色が遮断されることがなく、閉塞感を感じることがない。
【００６８】
次に、図４に示したように、第２の実施形態に係る乳母車用カバー３１について、以下説明する。  
本実施形態に係る乳母車用カバー３１は、シート状の蓄光発光シート３２（３２ａ、３２ｂ）をカバーシート１２上の裏面から添着して構成している。  
具体的には、上記蓄光発光シート３２ａは、樹脂中に蓄光顔料を混練し、大人の掌サイズの星形形態に構成している。
【００６９】
さらに、上記蓄光発光シート３２ａを、中央部カバーシート１３の前面カバー部１４の下側に２枚を接着剤で接着し、右側面部カバーシート１８、及び、左側面部カバーシート１９の上部後方側、及び下部前方側に２枚ずつ、さらに、側面部カバーシート１７の後側フラップ１７ａにも一枚ずつ添着し（図示せず）、合計８枚を乳母車用カバー３１の裏面から接着剤で接着し、いずれの方角からでも確認できるように構成している。
【００７０】
さらに、前面カバー部１４の上端における幅方向に帯状で、且つ、シート状をした蓄光発光シート３２ｂも接着することにより、通行人に対して乳母車Ａの高さを示すことができ、乳母車Ａの大きさが確認できるようにしている。  
なお、本実施形態における乳母車用カバー３１、及び、以下で説明する実施形態における乳母車用カバー３３，３５においては、上述した実施形態における乳母車用カバー１１と中央部カバー１３の構成が異なる。中央部カバー２０は、前面カバー部１４と上面カバー部１５との間にパイピング部を形成しておらず、一枚のシート状の部材で形成している。
【００７１】
また、上記各蓄光発光シート３２をカバーシート１２における上記各部に接着する際においては、該添着する部位のカバー面を伸長し、皺を伸ばした状態で各蓄光発光シート３２を添着して、乳母車用カバー３１を構成する。
【００７２】
もちろん、上記構成を採る乳母車用カバー３１は、上述したように蓄光発光シート３２を乳母車用カバー３１の全体に、配置しており、さらに各蓄光発光シート３２は、面状に構成しているため、周囲が視界不良のときや、遠方からでも容易に確認することができる。
【００７３】
しかも、前面カバー部１４における乳児Ｂの頭部側に対向する部位には、上記蓄光発光シート３２を添着していないため、乳児Ｂの視界が遮られることもなく、乳児が閉塞感を感じることもない。
【００７４】
上記蓄光発光シート３２は、上述したような星形や帯形状に限らず、他の文字や図柄など、様々な形態で構成することができる。
【００７５】
なお、本実施形態に係る乳母車用カバー３１におけるパイピング部２１は前述したように蓄光蓄光発光帯体２２を縫着した構成であっても、或いは、従来どおり、布製などの帯体を縫着した構成（図５中のパイピング部２１の構成）であってもよい。
【００７６】
さらに、カバーシート１２上に接着する上記発光シートは、自発的に発光する上記蓄光発光シート３２ではなく、外側からの入射光を反射して発光するホログラムシート３４であってもよい。
【００７７】
具体的には、図５に示したように、第３実施例に係る乳母車用カバー３３は、該蓄光発光シート３２を接着した部位に相当する部位に、上記蓄光発光シート３２の代わりに同形状の上記ホログラムシート３４を接着した形態で構成している。
【００７８】
上記ホログラムシート３４は、僅かな外照光に対しても高い光輝性で反射することができ、その種類によっては虹模様や鮮やかな色彩の反射光で発光する。
【００７９】
このような、ホログラムシート３４を用いて、乳母車用カバー３３を構成することで、悪天候のときでも、通行人は乳母車Ａを容易に確認できる。
【００８０】
さらに、第４実施例に係る実施形態に係る乳母車用カバー３５として、蓄光発光シート３６（３６ａ，３６ｂ，３６ｃ）を、カバーシート１２の表面から着脱可能に取り付けた構成とすることができる。
【００８１】
具体的には、乳母車用カバー３５の構成は、図６に示したように、前面カバー部１４の下部における左右両側に帯状の蓄光発光シート３６ａを３枚づつ合計６枚取り付け、前面カバー部１４における上端部にも前面カバー部１４の幅方向に帯状の蓄光発光シート３６ｂを取り付ける。さらに、側面部カバーシート１７においても、上下方向の中央部と下部とに左右方向にかけて蓄光発光シート３６ｃを取り付ける。
【００８２】
上記蓄光発光シート３６のカバーシート１２への取り付けは、上記蓄光発光シート３６の両縁部に一方のスナップ３７を縫着し、カバーシート１２の表面における上述した各部に上記一方のスナップ３７へ係止可能な他方のスナップ３７を縫着して、着脱可能に構成している。
【００８３】
上記構成を採る乳母車用カバー３５は、周辺が明るいとき、例えば、排気ガスや粉塵などから乳児Ｂを保護するため天候がよいときに使用する場合など、蓄光発光シート３６が不要である場合、保護者は、図７に示したようにカバーシート１２から蓄光発光シート３６を適宜、取り外すことができる。  
これにより、カバーシート１２上には、スナップ３７が残るだけであるため、乳母車用カバー３５の見栄えが悪化することがなく、開放感が得られる。
【００８４】
さらに、塵や埃などが付着して蓄光発光シート３６が汚れた場合は、該蓄光発光シート３６を取り外して洗浄することもできる。
【００８５】
また、上記蓄光発光シート３６と、それと同形態のホログラムシートとの両方のシートを用意しておけば、乳母車用カバー３５の各部にこれらを組み合わせて取り付けて用いることができる。
【００８６】
最後に、第５実施例に係る乳母車用カバー４１は、図８に示したように、そのカバーシート４２を網目状に（メッシュ地で）形成している。ちなみに、カバーシート４２は、格子状の網目に形成している。
【００８７】
網目状をしたカバーシート４２を構成する１つ１つの網の目の大きさは、蚊などの小さな虫が乳母車用カバー４１内に入り込まない程度の大きさに形成している。
【００８８】
カバーシート４２は、上記図１から図３に示したカバーシート４２と同様に中央部カバーシート４３と側面部カバーシート４７とを組み合わせて構成している。
【００８９】
さらに、上記乳母車用カバー４１には、その表面に蓄光発光帯体２２を添着している。
【００９０】
なお、図８に示した乳母車用カバー４１における蓄光発光帯体２２の添着部位は、上記図１〜図３に示した乳母車用カバー４１における蓄光発光帯体２２の添着部位と同様であるため、蓄光発光帯体２２の添着部位に関する具体的な説明は省略する。
【００９１】
上記構成により、乳母車用カバー４１は、蓄光発光帯体２２を備えているため、周囲が暗やみであっても発光する。これにより、乳母車Ａ全体の視認性を高めることができるため、乳児Ｂの安全性を確保することができる。
【００９２】
また、カバーシート４２を網目状に形成することにより、例えば、夜間に乳母車Ａを使用する場合、上記乳母車用カバー４１を乳母車Ａに被覆して用いれば、該乳母車用カバー４１内側に蚊などの虫が入り込むことを阻止することができる。  
よって、虫さされなどから乳児Ｂを保護することができる。
【００９３】
さらに、カバーシート４２を網目状に形成することにより、乳母車用カバー４１の内側と外側との通気性を確保することができる。よって、蒸し暑い日であっても、乳母車用カバー４１の内側に存在する乳児Ａの快適性を確保することができる。
【００９４】
勿論、上記乳母車用カバー４１には、上記蓄光発光帯体２２に限らず、上記ホログラムシート３４を添着して構成してもよい（図示せず）。或いは、蓄光発光帯体２２とホログラムシート３４とを組み合わせて構成してもよい（図示せず）。さらには、メッシュ地で形成したカバーシート４２にホックなどを用いて着脱可能に上記蓄光発光帯体２２などを係合するなどして、カバーシート４２に直接取り付ける構成であってもよい。
【００９５】
上述の実施形態と、この発明の構成との対応において、この実施形態の蓄光発光帯体２２は、この発明の蓄光発光手段、及び、発光帯体に対応し、以下同様に、蓄光発光シート３２，３６は、蓄光発光手段、及び、発光シートに対応し、
ホログラムシート３４は、反射発光手段、及び、発光シートに対応するも、この発明は、上述の実施形態の構成のみに限定されるものではなく、多くの実施の形態を得ることができる。
【図面の簡単な説明】
【００９６】
【図１】第１実施形態に係る乳母車用カバーの使用状態図。
【図２】第１実施形態に係る乳母車用カバーの外観図。
【図３】第１実施形態に係る乳母車用カバーの使用状態図を示す背面図。
【図４】第２実施形態に係る乳母車用カバーの使用状態図。
【図５】第３実施形態に係る乳母車用カバーの使用状態図。
【図６】第４実施形態に係る乳母車用カバーの使用状態図。
【図７】第４実施形態に係る乳母車用カバーの他の使用状態図。
【図８】第５実施形態に係る乳母車用カバーの他の使用状態図。
【符号の説明】
【００９７】
１１，３１，３３，３５，４１…乳母車用カバー
１２，４２…カバーシート
２２，３２，３６…蓄光発光手段（発光帯体）
３４…反射発光手段（発光シート）
３７…スナップ
Ａ…乳母車
【図１】
2006001526.tif 000003
【図２】
2006001526.tif 000004
【図３】
2006001526.tif 000005
【図４】
2006001526.tif 000006
【図５】
2006001526.tif 000007
【図６】
2006001526.tif 000008
【図７】
2006001526.tif 000009
【図８】
2006001526.tif 000010